(57)【要約】  簡単な構成で、再生音の音響特性を調整することができるイヤホンを提供すること、ユーザぞれぞれの外耳に密着し且つ音響特性を調整可能なイヤホンを提供すること。  本発明に係るイヤホン１は、スピーカ本体部３を内蔵し、当該スピーカ本体部３からの音波を放音する開口部２１が形成されたスピーカ筐体部２と、スピーカ本体部３から開口部２１を介して放音された音波に対して所定の音響特性に規定する内部構造を備える筒形状の音響制御管４と、音響制御管４に装着されるとともに当該音響制御管４と連通する筒形状部９１を備え、外周部が弾性変形可能に形成された耳栓９とを有し、音響制御管４は、一端部に形成された連結部４２が、スピーカ筺体部２の開口部２１に形成された被連結部２２に対して連結した状態で、固定部材７により着脱可能に固定される。所望の異なる音響特性の音響制御管４を交換することができる。
2009031238.tif 000002
【特許請求の範囲】
【請求項１】
スピーカ本体部を内蔵するとともに、当該スピーカ本体部からの音波を放射する開口部が形成されたスピーカ筐体部と、
前記スピーカ本体部から前記開口部を介して放射された音波に対して所定の音響特性に規定する内部構造を備える筒形状の音響制御管と、
前記音響制御管に装着されるとともに当該音響制御管と連通する筒形状部を備え、外周部が弾性変形可能に形成された耳栓とを有し、
前記音響制御管は、一端部に形成された連結部が、前記スピーカ筺体部の開口部に形成された被連結部に対して連結した状態で、固定手段により着脱可能に固定されることを特徴とする
イヤホン。
【請求項２】
内径又は長さが異なる内部構造の複数の前記音響制御管を備え、当該複数の音響制御管は交換可能に形成されていることを特徴とする請求項１に記載のイヤホン。
【請求項３】
互いに異なる形状の複数の前記耳栓を備え、当該複数の耳栓は交換可能に形成されていることを特徴とする請求項１に記載のイヤホン。
【請求項４】
少なくとも前記音響制御管および前記スピーカ筐体部の一部又は全部を取り囲む弾性体の耳介挿入体を有することを特徴とする請求項１に記載のイヤホン。
【請求項５】
異なる形状の複数の前記耳介挿入体を備え、当該複数の耳介挿入体は交換可能に形成されていることを特徴とする請求項４に記載のイヤホン。
【請求項６】
前記音響制御管の一端部又は他端部に音響制御用シートが備えられていることを特徴とする請求項１に記載のイヤホン。
【請求項７】
異なる音響特性の複数の前記音響制御用シートを備え、当該複数の音響制御用シートは交換可能に形成されていることを特徴とする請求項６に記載のイヤホン。
【請求項８】
前記音響制御管と前記スピーカ筐体部との間に吸音部材が備えられていることを特徴とする請求項１に記載のイヤホン。
【請求項９】
異なる吸音特性の複数の前記吸音部材を備え、当該複数の吸音部材は交換可能に形成されていることを特徴とする請求項８に記載のイヤホン。
【請求項１０】
前記音響制御管は、前記連結部が形成された端部の内径が、他端部の内径より大きいことを特徴とする請求項１に記載のイヤホン。
【請求項１１】
前記スピーカ本体部は、電磁型スピーカ装置であることを特徴とする請求項１に記載のイヤホン。
【請求項１２】
前記耳栓は、筒形状部の外端部の内径が、前記音響制御管の内径より大きい形状に形成されていることを特徴とする請求項１に記載のイヤホン。
【請求項１３】
前記音響制御管は、前記一端部に、他端部より大きな外径のフランジが形成され、
前記固定手段は、筒形状に形成され、且つ、
一方の開口端部が、前記音響制御管の前記他端部の外径より大きく、且つ前記フランジの外径より小さく形成された内径を備え、
他方の開口端部が、前記フランジの外径より大きな内径に形成されるとともに、前記スピーカ筐体部の端部に形成された被螺合部に螺合する螺合部を備えることを特徴とする請求項１に記載のイヤホン。
【請求項１４】
前記固定手段は、前記他方の開口端部の外径が、前記スピーカ筐体部の端部の外径より大きく形成され、
前記固定手段が前記スピーカ筐体部に固定された状態で、前記固定手段の端部に形成される段形状の被係止部に対して、前記耳介挿入体の開口端部に形成された内側に向って突出した形状の係止部が係止することを特徴とする請求項１３に記載のイヤホン。
【請求項１５】
前記音響制御管は、前記筒形状部の略中央部に、音響放射側の端部より外径が小さい凹状の被係止部を備え、
前記耳栓は、前記筒形状部の装着側の端部に形成された、内側に向って突出した形状の係止部を備え、
前記音響制御管の被係止部に前記耳栓の係止部が係止していることを特徴とする請求項３に記載のイヤホン。
【請求項１６】
前記耳介挿入体の音響放射側の開口端部に形成された係止部が、前記音響制御管に形成された被係止部に係止していることを特徴とする請求項１５に記載のイヤホン。
【請求項１７】
前記音響制御管は、長手方向が前記スピーカ本体部の音響放射方向に対して規定角度に傾斜して形成されていることを特徴とする請求項１に記載のイヤホン。
【請求項１８】
左耳用イヤホンと右耳用イヤホンは、前記スピーカ本体部の音響放射方向に対する前記音響制御管の長手方向が、互いに略鏡面対称となるように規定角度に傾斜して形成され、
前記音響制御管と前記筐体部の連結構造が、前記左耳用イヤホンと前記右耳用イヤホンとで異なるように形成されていることを特徴とする請求項１に記載のイヤホン。
【請求項１９】
前記スピーカ筐体部は、側面部に平坦部が形成されていることを特徴とする請求項１に記載のイヤホン。
【発明の詳細な説明】
【技術分野】
【０００１】
本発明は、イヤホンに関する。
【背景技術】
【０００２】
耳に装着する小型のスピーカ、詳細には、外耳道に挿着した状態で使用されるイヤホンが知られている（例えば、特許文献１参照）。イヤホンは、耳挿入方式インナーホンとも言われる。【０００３】
上記イヤホンは、外耳道に装着されるレシーバ組立体（スピーカ本体部）からの音波を、音響カプラ（耳線部）に形成された孔部を介して、外耳道内に放射するように構成されている。また、上記イヤホンでは、音響カプラが外耳道の形状に順応するように弾性的に変形可能な音響シールを備える。
【特許文献１】特表２００１−５１２９４３号公報
【発明の開示】
【発明が解決しようとする課題】
【０００４】
ユーザそれぞれの好みに合うように再生音の音響特性を調節する場合、例えば、音響特性を調節する音声処理回路などを音声再生回路側に設ける方法がある。しかし、この方法では音声再生回路側に音声処理回路を設けることを要し、音声処理回路等が高価となる。【０００５】
このためイヤホン側に音響特性の調節機能をもたせてユーザそれぞれの好みに合う再生音を発音することができるイヤホンが望まれている。しかし、上記特許文献１に記載されたイヤホンでは、外耳道の形状に順応する着脱可能な音響カプラを備えているが音響特性を調整することができない。
また、ユーザの外耳形状はそれぞれ異なっており、イヤホン装着時のイヤホンと外耳との間の密着の度合いや音漏れ度合などが音響特性に比較的大きな影響を与える。このためユーザそれぞれの外耳に密着し且つ音響特性を調整可能なイヤホンが望まれている。【０００６】
本発明は、このような問題に対処することを課題の一例とするものである。すなわち、簡単な構成で、再生音の音響特性を調整することができるイヤホンを提供すること、ユーザぞれぞれの外耳に密着し且つ音響特性を調整可能なイヤホンを提供すること、等が本発明の目的である。
【課題を解決するための手段】
【０００７】
このような目的を達成するために、本発明は、以下の独立請求項に係る構成を少なくとも具備するものである。【０００８】
本発明に係るイヤホンは、スピーカ本体部を内蔵するとともに、当該スピーカ本体部からの音波を放射する開口部が形成されたスピーカ筐体部と、前記スピーカ本体部から前記開口部を介して放射された音波に対して所定の音響特性に規定する内部構造を備える筒形状の音響制御管と、前記音響制御管に装着されるとともに当該音響制御管と連通する筒形状部を備え、外周部が弾性変形可能に形成された耳栓とを有し、前記音響制御管は、一端部に形成された連結部が、前記スピーカ筺体部の開口部に形成された被連結部に対して連結した状態で、固定手段により着脱可能に固定されることを特徴とする。
【図面の簡単な説明】
【０００９】
【図１】本発明の一実施形態に係るイヤホンの断面図である。
【図２】図１に示したイヤホンの分解斜視図である。
【図３】図１に示したイヤホンの背面側（音響放射方向に対して反対側）からの斜視図である。
【図４】外耳に装着された状態のイヤホン１を説明するための図である。
【図５】図１に示したイヤホンの音響制御管を説明するための図である。詳細には、（Ａ）は音響制御管の斜視図であり、（Ｂ）は音響制御管の背面図であり、（Ｃ）は音響制御管の正面図であり、（Ｄ）は第１具体例に係る音響制御管の断面図であり、（Ｅ）は第２具体例に係る音響制御管の断面図であり、（Ｆ）は第３具体例に係る音響制御管の断面図である。
【図６】図１に示したイヤホンの音響制御管を詳細に説明するための図である。
【図７】本発明に係る音響制御管の音響特性を説明するための図である。詳細には（Ａ）は異なる内径の複数の音響制御管の音響特性を説明するための図であり、（Ｂ）は筒状部の長手方向の長さが異なる音響制御管の音響特性を説明するための図である。
【図８】図１に示したイヤホンの耳介挿入体８を説明するための図である。
【図９】本発明の一実施形態に係るイヤホン１の分解斜視図である。
【発明を実施するための最良の形態】
【００１０】
本発明の一実施形態に係るイヤホンは、異なる音響特性の音響制御管を交換可能に設けたことを特徴とする。詳細には、本発明に係るイヤホンは、スピーカ本体部を内蔵するとともに、当該スピーカ本体部からの音波を放射する開口部が形成されたスピーカ筐体部と、スピーカ本体部から開口部を介して放音された音波に対して所定の音響特性に規定する内部構造を備える筒形状の音響制御管と、音響制御管に装着されるとともに当該音響制御管と連通する筒形状部を備え、外周部が弾性変形可能に形成された耳栓とを有し、音響制御管は、一端部に形成された連結部が、スピーカ筺体部の開口部に形成された被連結部に対して連結した状態で、固定手段により着脱可能に固定されることを特徴とする。
好適には、イヤホンは、内径又は長さが異なる内部構造の複数の音響制御管を備え、当該複数の音響制御管は交換可能に形成されている。
また、好適には、イヤホンは、互いに異なる形状の複数の交換可能な耳栓を備える。
また、好適には、少なくとも音響制御管及びスピーカ筐体部の一部又は全部を取り囲む弾性体の交換可能な耳介挿入体を有する。【００１１】
上記構成のイヤホンでは、音響特性の異なる交換可能な音響制御管が、その音響制御管の一端部に形成された連結部が、前記スピーカ筺体部の開口部に形成された被連結部に対して連結した状態で、固定手段により着脱可能に固定されるので、簡単な構成で、再生音の音響特性を調整することができる。【００１２】
また、本発明に係るイヤホンは、異なる形状の交換可能な複数の耳栓や交換可能な複数の耳介挿入体を有するので、ユーザぞれぞれの外耳に密着し且つ音響特性を調整可能なイヤホンを提供することができる。
以下、本発明の一実施形態に係るイヤホンを、図面を参照しながら説明する。【００１３】
図１は、本発明の一実施形態に係るイヤホンの断面図である。図２は、図１に示したイヤホンの分解斜視図である。図３は、図１に示したイヤホンの背面側（音響放射方向に対して反対側）からの斜視図である。【００１４】
本実施形態に係るイヤホン（スピーカ装置ともいう）１は、スピーカ筺体部（筺体部）２、スピーカ本体部３、音響制御管４、吸音部材５、フィルタ６、固定部材７、耳介挿入体８、および耳栓９を有する。【００１５】
スピーカ筺体部２は本発明に係るスピーカ筐体部の一実施形態に相当し、スピーカ本体部３は本発明に係るスピーカ本体部の一実施形態に相当し、音響制御管４は本発明に係る音響制御管の一実施形態に相当する。吸音部材５は本発明に係る吸音部材又は音響制御用シートの一実施形態に相当し、フィルタ６は本発明に係る音響制御用シートの一実施形態に相当する。固定部材７は本発明に係る固定手段の一実施形態に相当し、耳介挿入体８は本発明に係る耳介挿入体の一実施形態に相当し、耳栓９は本発明に係る耳栓の一実施形態に相当する。
以下、イヤホン１の各構成要素について図面を参照しながら説明する。【００１６】
［スピーカ筺体部（筺体部）２］
筐体部２は、例えば図１に示すように、スピーカ本体部３を内蔵している。詳細には、筺体部２は、内部にスピーカ本体部３が収容される収容部２１０が形成されており、この収容部２１０にスピーカ本体部３が収容されている。筺体部２は、例えば第１のハウジング２０１と第２のハウジング２０２を有し、分解状態で収容部２１０にスピーカ本体部３を収容することができる。筺体部２の下部には、スピーカ本体部３の背面側（音響放射方向に対して反対側）から引き出されたスピーカコード３０１の引出通路２０２１が形成されている。【００１７】
また、筺体部２は、音響放射側の先端部に、スピーカ本体部３からの音波を放射するための開口部２１が形成されている。
本実施形態では、開口部２１にスピーカ本体部３の音響放射口である突出部が嵌合する。詳細には、筺体部２は、開口部２１が形成された音響放射側の先端部に、音響制御管４と連結する凹形状の被連結部２２が形成されている。
また、開口部２１が形成された音響放射側の先端部は、外径が筐体部２の背面側と比べて小さく形成されており、その外周部には固定部材７が着脱可能に固定されるための固定部が形成されている。詳細には、開口部２１が形成された音響放射側の先端部に、固定部材７が螺合するための被螺合部２３が形成されている。【００１８】
また、筺体部２は、筺体部２の略中央部に段形状部２４が形成されている。この段形状部２４は、背面側と比べて音響放射側の外周の外径が小さく形成されている。また、段形状部２４は筺体部２の全周に亘って形成されている。本実施形態では段形状部２４に耳介挿入体８が接触するように配置される。この形状部２４は耳介挿入体８の係止部が係止する被係止部の一部となっている。【００１９】
また、筺体部２の背面側の側面部には、例えば図３に示すように、耳介挿入体８の凸形状部の突出した方向に略直交するように平坦部２０２５が形成されている。【００２０】
図４は、外耳に装着された状態のイヤホン１を説明するための図である。
平坦部２０２５は、例えば図４に示すように、ユーザの外耳１５０に装着された状態で、外耳１５０の耳介１５１の突出部１５２に当接するように形成されている。このように、筺体部２に平坦部２０２５を形成することにより、図４に示すように、イヤホン１がユーザの外耳に対する密着の度合いを比較的高くすることができ、音漏れを低減することができる。また、本実施形態に係るイヤホン１は、密着の度合いが比較的高いので、密着の度合いが低い場合と比べて高い音響特性を有する。特に、低音再生帯域を大きくすることが可能となる。また、イヤホン１は、平坦部２０２５が耳介１５１の突出部１５２に当接した状態で位置決め固定されるので、比較的大きな外力が加わった場合でも、イヤホン１の位置ずれを低減することができる。【００２１】
また、音響制御管４は、筒形状部４１の外側部には、凹形状の被係止部４１８が形成されており、この被係止部４１８に耳介挿入体８と耳栓９が嵌合する。【００２２】
［スピーカ本体部３］
スピーカ本体部３は、例えばスピーカコード３０１から入力された電気信号に応じた音波を放射する。スピーカ本体部３としては、電磁形スピーカ、ダイナミック形スピーカ、静電形スピーカ、圧電形スピーカ、等の公知のスピーカ装置を採用することができる。本実施形態に係るスピーカ本体部３としては、電磁形スピーカを採用する。電磁型スピーカは、例えば永久磁石の両磁極間に可動鉄心が配置され、さらに固定コイルを備える交流磁場により可動鉄心が振動する。この可動鉄心は、振動板に結合されていてもよいし、可動鉄心自体が振動板として機能してもよい。上記構造の電磁型スピーカは、例えば、ダイナミック形スピーカ装置と比べて小型である。ダイナミック形スピーカ装置は、低域側の再生帯域が大きいという利点があるが、小型化することが困難であり、イヤホンに内蔵することが困難である。一方、電磁形スピーカは、低域側の再生帯域がダイナミック形スピーカ装置よりも小さいが小型化することができるため、小型のイヤホンに内蔵することができる。
本実施形態に係るスピーカ本体部３は、上述したように、スピーカ筺体部２の内部に内蔵されている。詳細には、スピーカ本体部３は、図１に示すように、断面形状が略矩形状に形成され、音響放射側の端部には突出部が形成されており、この突出部に形成された通気孔から音波を放射する。【００２３】
［音響制御管４］
図５は、図１に示したイヤホンの音響制御管を説明するための図である。詳細には、図５（Ａ）は音響制御管の斜視図であり、図５（Ｂ）は音響制御管の背面図であり、図５（Ｃ）は音響制御管の正面図であり、図５（Ｄ）は第１具体例に係る音響制御管の断面図であり、図５（Ｅ）は第２具体例に係る音響制御管の断面図であり、図５（Ｆ）は第３具体例に係る音響制御管の断面図である。図６は、図１に示したイヤホンの音響制御管を詳細に説明するための図である。【００２４】
音響制御管４は、筒形状部４１、連結部４２、およびフランジ４３を有する。
音響制御管４は、スピーカ本体部３から筺体部２の開口部２１を介して放射された音波に基づく音響特性を所定の音響特性に規定する内部構造を備える。詳細には、音響制御管４は、一端部に形成された連結部４２が、筺体部２の開口部２１に形成された被連結部２２に対して連結した状態で、固定部材７により着脱可能に固定される。
上記構成の音響制御管４は、スピーカ本体部３から放射された音波を、筒形状部４１の一端部に形成された音響進入口４１１から導波路４１２を通って、筒形状部４１の他端部に形成された音響出力口４１３へ導波する。【００２５】
また、音響制御管４は、所定の音響特性となるように内部構造、例えば図５（Ａ）〜（Ｆ）に示すように、筒形状部４１の内径，長さ，材質などが規定されている。音響制御管４は、上記構造により音響特性、共振周波数などが規定される。また、本実施形態に係るイヤホン１は、例えば、内径又は長さが異なる内部構造の複数の音響制御管４を備え、当該複数の音響制御管４は交換可能に形成されている。例えば図５（Ｄ）に示す音響制御管は、図５（Ｅ）に示す音響制御管と比べて、内径が小さく、図５（Ｆ）に示す音響制御管と比べて筒形状部４１が長手方向に長い。【００２６】
図６に示すように、本実施形態に係る音響制御管４は、連結部４２が形成された端部（音響進入口４１１）の内径Ｌ４１１が、他端部（音響出力口４１３）の内径Ｌ４１３より大きい。詳細には、音響制御管４は、内径Ｌ４１１かつ所定長さの凹部４１１０が形成されている。【００２７】
本実施形態に係る音響制御管４では、例えば内径が一定の筒形状部が形成された音響制御管と比べて、上記構成の凹部４１１０を設けたので、音響特性の高域側での音圧が減衰することを抑止することができる。また、上記構成の音響制御管４は、射出成型により容易に作製することができる。
また、筒形状部４１の内径が異なる音響制御管４を作製する場合に、音響進入口４１１の内径Ｌ４１１を一定にして、音響出力口４１３側の内径Ｌ４１３を変更することが容易である。また、複数の音響特性の異なる音響制御管４として、音響制御管４の音響進入口４１１の内径Ｌ４１１を一定にして、内径Ｌ４１３を異なるようにすると、設計時に容易に音響特性を設定することができる。【００２８】
図７は、本発明に係る音響制御管の音響特性を説明するための図である。詳細には、図７（Ａ）は異なる内径の複数の音響制御管の音響特性を説明するための図であり、図７（Ｂ）は筒状部の長手方向の長さが異なる音響制御管の音響特性を説明するための図である。横軸は周波数Ｆ（Ｈｚ）を示し、縦軸はＳＰＬ（Sound pressure level）（ｄＢ（デシベル））を示す。
［第１の測定］
本願発明者は、筒形状部４１の内径が基準値Ｌ（約３ｍｍ）、基準値Ｌ＋４ｍｍ、基準値Ｌ＋８ｍｍ、基準値Ｌ＋１０ｍｍで、長手方向の長さがそれぞれ規定値の音響制御管４についてコンピュータシミュレーションを行い、図７（Ａ）に示すような音響特性を得た。
図７（Ａ）に示すように、音響制御管４の音響特性は、周波数が１００Ｈｚ付近から約９００Ｈｚにかけて略一定値１１２ｄＢ程度であり、周波数が９００Ｈｚから約２５００ＨｚにかけてＳＰＬが大きくなり、第１共鳴周波数Ｆ１、本実施形態では約２５００Ｈｚ（第１）付近で極大値１２０ｄＢとなり、第１共鳴周波数（約２５００Ｈｚ）から約３５００ＨｚまではＳＰＬが小さくなり、第２共振周波数Ｆ２（約４３００Ｈｚ）で極大値を有し、それ以上の周波数では急激にＳＰＬが小さくなる特性を有する。
また、筒形状部４１の内径が基準値（約３ｍｍ）、基準値＋４ｍｍ、基準値＋８ｍｍ、基準値＋１０ｍｍと大きくなると、特に、第２共振周波数Ｆ２が高音側にシフトして、そのピーク値が減少する特性がある。【００２９】
［第２の測定］
また、本願発明者は、筒形状部４１の長手方向の長さを基準値Ｔ＋１ｍｍ、基準値Ｔ、基準値Ｔ−１ｍｍ、基準値Ｔ−２ｍｍ、基準値Ｔ−４ｍｍで、内径が規定値の音響制御管４についてコンピュータシミュレーションを行い、図７（Ｂ）に示すような音響特性を得た。
筒形状部４１の長さが短くなると、特に、第２共振周波数Ｆ２が高音側にシフトして、そのピーク値が減少する特性がある。【００３０】
上述したように本発明に係るイヤホン１は、長さや内径の異なる複数の音響制御管４を有するので、ユーザはその中から所望の音響特性の音響制御管４を選択して筺体部２に装着することで、ユーザの好みに合う音響特性の再生音を聴くことができる。【００３１】
また、本実施形態に係る音響制御管４は、図１，２，５，６に示すように、筒形状部４１の長手方向がスピーカ本体部３の音響放射方向に対して規定角度に傾斜して形成されている。イヤホン１は、筒形状部４１の長手方向がスピーカ本体部３の音響放射方向に対して規定角度に傾斜して形成されているので、ユーザの外耳１５０に装着された状態で、上記構成の音響制御管４が外耳１５０の外耳道内に高い密着度で挿着される。【００３２】
フランジ４３は、連結部４２が形成された端部に、他端部より大きな外径に形成されている。このフランジ４３は、図１に示すように、平坦部４３１が筺体部２の音響放射側端部に接するように形成されている。【００３３】
また、左耳用イヤホンと右耳用イヤホンは、スピーカ本体部の音響放射方向に対する音響制御管の長手方向が、互いに略鏡面対称となるように規定角度に傾斜して形成される。これは左耳と右耳では外耳道の形状が略鏡面対称となっているので、本実施形態に係る左耳用イヤホン１と右耳用イヤホンそれぞれを、左耳と右耳に装着した際に密着度を向上させるためである。【００３４】
左耳用イヤホンと右耳用イヤホンで、左耳用音響制御管と右耳用音響制御管の傾斜方向が異なり、例えば左耳用と右耳用の筺体部２と音響制御管４それぞれを逆に誤装着すると密着度が低下してしまう。
本発明の一実施形態に係るイヤホン１は、音響制御管４と筺体部２の連結構造が、左耳用イヤホンと右耳用イヤホンとで異なるように形成されている。詳細には、例えば図２に示すように、筺体部２の端部に被嵌合部２２１が形成され、音響制御管４の端部に被嵌合部２２１に対応する位置に嵌合部４３２が形成されており、被嵌合部２２１と嵌合部４３２とが嵌合することにより筺体部２と音響制御管４が位置決め固定される。
具体的には、図２に示すように、筺体部２の端部に２つの凸形状の被嵌合部２２１が規定間隔で形成されており、音響制御管４の端部に２つの凹形状の嵌合部４３２が、被嵌合部２２１に対応した位置に形成されている。本実施形態では、左耳用イヤホンおよび右耳用イヤホンのうち、一方のイヤホンでは、図２に示すように、筺体部２の結合面に形成された２つの突起部が、周方向にそれぞれ配置され、音響放射方向に向かって突出する形状に形成されており、本実施形態では音響放射側から視認して、周方向に沿って、１／４周または３／４周の間隔で形成されている。
また、左耳用イヤホンと右耳用イヤホンとで、この被嵌合部２２１と嵌合部４３２の形状や位置等が異なった構造を有する。【００３５】
また、上述したように、筺体部２に被嵌合部２２１が形成され、音響制御管４に嵌合部４３２が形成されているので、筺体部２と音響制御管４が連結した状態で、筺体部２と音響制御管４とが相対的に周方向に沿ってずれることを防止することができる。
また、筺体部２と音響制御管４との連結構造は、上述した形態に限られるものではない。例えば筺体部２の結合面側に凹形状部が形成され、音響制御管４の結合面側に突起形状部が形成されていてもよい。また、左耳用イヤホンと右耳用イヤホンとで、ピッチの異なる波型形状の連結構造であってもよい。左耳用と右耳用の筺体部２と音響制御管４が誤装着しないような構造であればよい。【００３６】
左耳用イヤホンおよび右耳用イヤホンのうち、他方のイヤホンでは、筐体部２の結合面に形成された２つの突起部が、上記間隔と異なる間隔、例えば半周の間隔で形成されていてもよい。
また、左耳用イヤホンと右耳用イヤホンとで、突起形状部と凹形状部とが逆となっていてもよい。
上記構成のように、左耳用イヤホンは、右耳用イヤホンに対して、筺体部２と音響制御管４の結合部の形状が異なるように形成することで、例えば、左耳用イヤホンの筺体部２と、右耳用イヤホンの音響制御管４とが誤装着するのを防止することができ、左耳用イヤホンの筺体部２と左耳用イヤホンの音響制御管４とを確実に装着することができる。また、右耳用イヤホンの筺体部２と右耳用イヤホンの音響制御管４とを確実に装着することができる。【００３７】
［吸音部材５］
吸音部材５は、音響制御管４と筺体部２との間に配置されている。吸音部材５は、例えば、耳栓９や音響制御管４にて反射した音波を吸収することで、スピーカ本体部３から放射された音波と、耳栓９や音響制御管４にて反射された反射波とが干渉しあうことを抑止し、イヤホン１の音響特性へ悪影響が及ぶことを低減する。
特に、本実施形態に係る音響制御管４がスピーカ本体部側と耳栓９側とで内径が異なる場合、反射波が生じるが、吸音部材５を設けることにより、反射波を低減することができる。
吸音部材５としては、例えば不織布や織物を採用することができる。【００３８】
［フィルタ６］
フィルタ（音響制御用シート）６は、音響制御管４の一端部又は他端部に配置されている。本実施形態に係るフィルタ６は、例えば音響制御管４の前面（音響出力口４１３側）に配置されている。例えばスピーカ本体部３に電磁形スピーカ装置を採用した場合、高域で比較的大きな音圧を有する音響特性となる。フィルタ６を、音響制御管４の前面に配置することで、高域での大きい音圧を低減することができ、低域から中域、中域から高域にかけて、フラットな周波数特性が得られる。
フィルタ６としては、例えば不織布や織物を採用することができる。【００３９】
［固定部材７］
固定部材７は、音響制御管を筺体部２に対して着脱可能に固定する。詳細には、図１に示すように、音響制御管４の一端部に形成された連結部４２が、スピーカ筺体部２の開口部２１に形成された被連結部２２に対して連結した状態で、固定部材７により着脱可能に固定される。
詳細には、固定部材７は、一方の開口端部７１が、音響制御管４の他端部（音響出力口４１３）の外径より小さく、且つフランジ４３の外径より小さく形成された内径を備え、他方の開口端部７２が、フランジ４３の外径より大きな内径に形成されるとともに、スピーカ筐体部２の端部に形成された被螺合部２３に螺合する螺合部７２１を備える。
固定部材７は、音響制御管を筺体部２に対して着脱可能に固定することができれば、上述した形態に限られるものではない。【００４０】
［耳介挿入体８］
図８は、図１に示したイヤホンの耳介挿入体８を説明するための図である。
耳介挿入体８は、音響制御管４および筺体部２の一部又は全部を取り囲むように形成されている。耳介挿入体８の形成材料としては、例えば樹脂やゴム等の弾性体を採用することができる。耳介挿入体８は、例えば図４に示すように、外側面がユーザの耳介に対応した形状に形成されている。【００４１】
耳介挿入体８は、例えば図１〜４，８に示すように、開口部８１、耳介用突出部８２を有する。
開口部８１は、中央部に形成されており、一端部の内径が音響制御管４の筒形状部４１の外径と略同じ大きさに規定されており、他方の端部の内径は、筺体部２の先端部（音響放射側）の外径と略同じ大きさに形成されている。また、開口部８１の他方の開口端部には、内側に向って突出した形状の係止部８１１が形成されている。
上記構成の耳介挿入体８は、係止部８１１が、固定部材７がスピーカ筐体部２に固定された状態で、固定部材７の端部に形成される段形状の被係止部７２５に対して係止することで、耳介挿入体８が筺体部２に対して位置決め固定される。【００４２】
また、耳介挿入体８は、音響放射側の開口端部に形成された係止部８１４が、音響制御管４の筒形状部４１の略中央部に形成された音響放射側の端部より外径が小さい凹状の被係止部４１８に係止する。【００４３】
耳介用突出部８２は、例えば図４に示すように、主として一方向または直交するに方向に向かって大きく突出した形状に形成されている。この耳介用突出部８２の形状は外側面がユーザの耳介に対応した形状に形成されている。【００４４】
また、図８に示すように、耳介挿入体８の係止部８１１には、切欠部８１２が形成されており、図２に示すように、この切欠部８１２が筺体部２の音響放射側の端部付近に形成された突出部２８に嵌合することにより、筺体部２と耳介挿入体８とが位置決め固定される。
上記筺体部２と耳介挿入体８の連結構造では、耳介挿入体８が筺体部２に対して規定位置に確実に取り付けることができる。【００４５】
［耳栓９］
耳栓９は、ユーザの外耳の外耳道に挿入される。この耳栓９は、図１に示すように、音響制御管４に装着されるとともに音響制御管４と連通する筒形状部９１を備え、外周部９２が弾性変形可能に形成されている。耳栓９は、例えばシリコーンゴム等の軟質材料で成形されている。【００４６】
筒形状部９１は、外端部（音響放射側端部）の内径が、音響制御管４の内径より大きい形状に形成されている。この音響制御管４に連通された耳栓９の構造では、内部構造がホーン形状となり、音響特性が向上する。
また、筒形状部９１は、装着側の端部（音響放射側端部に対して反対側の端部）に、内側に向って突出した形状の係止部９１１が形成されている。この係止部９１１は、音響制御管４の略中央部に形成された、音響放射側の端部より外径が小さい凹状の被係止部４１８に、係止する。【００４７】
外周部９２は、本実施形態では傘形状に形成されており、この傘状部が弾性変形可能に形成されている。【００４８】
図９は、本発明の一実施形態に係るイヤホン１の分解斜視図である。
本実施形態に係るイヤホン１は、例えば図１，９に示すように、内径又は長さが異なる内部構造の複数の音響制御管４を備え、当該複数の音響制御管４は交換可能に形成されている。また、イヤホン１は、互いに異なる形状の複数の耳栓９を備え、当該複数の耳栓９は交換可能に形成されている。イヤホン１は、異なる形状の複数の耳介挿入体８を備え、当該複数の耳介挿入体８は交換可能に形成されている。また、イヤホン１は、所定の異なる音響特性に規定する複数のフィルタ６を備え、当該複数のフィルタ６は交換可能に形成されている。また、イヤホン１は、異なる吸音特性の複数の吸音部材５を備え、当該複数の吸音部材５は交換可能に形成されている。【００４９】
［動作］
次に、上記構成のイヤホン１の音響制御管４を交換する動作を、図面を参照しながら説明する。【００５０】
詳細には、初期状態では、例えば図１に示すように、音響制御管４が筺体部２に固定部材７により固定され、音響制御管４，固定部材７，筺体部２の一部分を、耳介挿入体８が覆うように取り付けられている。また、音響制御管４の一端部（筐体部２側）には、吸音部材５が取り付けられており、他端部（音響放射側）には、フィルタ６が取り付けられており、音響制御管４には、耳栓９が装着されている。また、上記初期状態からイヤホン１に取り付けられている音響制御管４を取り外した後、他の音響特性の音響制御管４に取り換える動作を説明する。【００５１】
［耳栓９の取外し工程］
まず、耳栓９の係止部９１１を、例えば人差し指と親指により、耳栓９の中央部付近を押圧して、耳栓９の筒状部の先端部付近を変形させた状態で、音響放射方向に引張ることにより、音響放射方向に引張力を印加して、耳栓９を音響制御管４から取り外す。
耳栓９は、ゴム等の弾性体により形成されており、変形した状態から復元力により所定時間後、元の形状に復元する。【００５２】
［耳介挿入体８の取外し工程］
次に、耳介挿入体８を取り外す場合、例えば耳介挿入体８の突出部８２を指などで、例えば音響放射方向に向かって押圧すると、耳介挿入体８が弾性変形して、係止部８１１が、固定部材７の端部に形成される段形状の被係止部７２５から取り外される。その状態で更に耳介挿入体８を音響放射方向に向かって押圧すると、耳介挿入体８の開口部が、音響制御管４の筒形状部４１の外周面に沿って、長手方向の先端部に向ってスライドして、音響制御管４から取り外される。【００５３】
［音響制御管４の取外し工程］
次に、固定部材７を回転させながら筺体部２から取り外す。そして、音響制御管４を筺体部２から取り外す。【００５４】
［他の音響特性の音響制御管４の取付工程］
次に、音響特性の異なる音響制御管４を取り付ける動作を説明する。
まず、音響制御管４の連結部４２を、筺体部２の凹形状の被連結部２２に嵌合して取り付ける。この際、筺体部２に形成された凸形状の被嵌合部２２１に、音響制御管４の端部に形成された凹形状の嵌合部４３２を嵌合させる。
次に、この状態で、固定部材７を筺体部２に回転させながら取り付けて、音響制御管４と筺体部２とを固定部材７により固定する。詳細には、固定部材７の螺合部７２１を、スピーカ筐体部２の端部に形成された被螺合部２３に螺合させる。【００５５】
［耳介挿入体８の取付工程］
次に、所望の形状の耳介挿入体８を取り付ける。詳細には、耳介挿入体８の開口部に、音響制御管４の筒形状部４１を指などで挿入して、例えば音響放射方向の反対方向に向かって押圧すると、耳介挿入体８が弾性変形して、係止部８１１が、固定部材７の端部に形成される段形状の被係止部７２５に係止する。【００５６】
［耳栓９の取付工程］
次に、所望の形状の耳栓９を取り付ける。詳細には、耳栓９の筒形状部９１を音響制御管４に取り付ける。この際、筒形状部９１に形成された係止部９１１が、音響制御管４の略中央部に形成された、音響放射側の端部より外径が小さい凹状の被係止部４１８に係止する。
上述したように本発明に係るイヤホン１において、所望の音響特性の音響制御管４に交換することができる。【００５７】
本発明は、上述した実施形態に限られるものではない。各種形態により本発明を実施してもよい。
例えば、筺体部２、スピーカ本体部３、音響制御管４、吸音部材５、フィルタ６、固定部材７、耳介挿入体８、耳栓９などの構成は、上述した実施形態に限られるものではない。
スピーカ本体部３は、電磁型スピーカを採用したが、この形態に限られるものではない。
また、上記実施形態では、筐体部２と固定部材７は、被螺合部２３および螺合部７２１が螺合することにより固定したが、この形態に限られるものではなく、筐体部２と固定部材７は、簡単に着脱可能な構造を有していればよい。【００５８】
以上、説明したように、本発明に係るイヤホン１は、スピーカ本体部３を内蔵するとともに、当該スピーカ本体部３からの音波を放音する開口部２１が形成されたスピーカ筐体部２と、スピーカ本体部３から開口部２１を介して放音された音波に対して所定の音響特性に規定する内部構造を備える筒形状の音響制御管４と、音響制御管４に装着されるとともに当該音響制御管４と連通する筒形状部９１を備え、外周部が弾性変形可能に形成された耳栓９とを有し、音響制御管４は、一端部に形成された連結部４２が、スピーカ筺体部２の開口部２１に形成された被連結部２２に対して連結した状態で、固定部材７により着脱可能に固定されるので、所望の異なる音響特性の音響制御管４を交換することができ、再生音の音響特性を簡単に調整することができる。
【図１】
2009031238.tif 000003
【図２】
2009031238.tif 000004
【図３】
2009031238.tif 000005
【図４】
2009031238.tif 000006
【図５】
2009031238.tif 000007
【図６】
2009031238.tif 000008
【図７】
2009031238.tif 000009
【図８】
2009031238.tif 000010
【図９】
2009031238.tif 000011
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
スピーカ本体部を内蔵するとともに、当該スピーカ本体部からの音波を放射する開口部が形成されたスピーカ筐体部と、
前記スピーカ本体部から前記開口部を介して放射された音波に対して所定の音響特性に規定する内部構造を備える筒形状の音響制御管と、
前記音響制御管に着脱可能に装着されるとともに当該音響制御管と連通する筒形状部を備え、外周部が弾性変形可能に形成された耳栓とを有し、前記音響制御管は、一端部に形成された連結部が、前記スピーカ筐体部の開口部に形成された被連結部に対して連結した状態で、固定手段により着脱可能に固定されることを特徴とするイヤホン。
【請求項２】
内径又は長さが異なる内部構造の複数の前記音響制御管を備え、当該複数の音響制御管は交換可能に形成されていることを特徴とする請求項１に記載のイヤホン。
【請求項３】
互いに異なる形状の複数の前記耳栓を備え、当該複数の耳栓は交換可能に形成されていることを特徴とする請求項１に記載のイヤホン。
【請求項４】
少なくとも前記音響制御管および前記スピーカ筐体部の一部又は全部を取り囲む弾性体の耳介挿入体を有することを特徴とする請求項１に記載のイヤホン。
【請求項５】
異なる形状の複数の前記耳介挿入体を備え、当該複数の耳介挿入体は交換可能に形成されており、前記耳介挿入体は前記スピーカ筐体部の中心軸から反れる方向に突出する耳介用突出部を備え、突出方向における前記耳介用突出部の長さは互いに異なることを特徴とする請求項４に記載のイヤホン。
【請求項６】
前記音響制御管の一端部又は他端部に音響制御用シートが備えられていることを特徴とする請求項１に記載のイヤホン。
【請求項７】
異なる音響特性の複数の前記音響制御用シートを備え、当該複数の音響制御用シートは交換可能に形成されていることを特徴とする請求項６に記載のイヤホン。
【請求項８】
前記音響制御管と前記スピーカ筐体部との間に吸音部材が備えられていることを特徴とする請求項１に記載のイヤホン。
【請求項９】
異なる吸音特性の複数の前記吸音部材を備え、当該複数の吸音部材は交換可能に形成されていることを特徴とする請求項８に記載のイヤホン。
【請求項１０】
前記音響制御管は、前記連結部が形成された端部の内径が、他端部の内径より大きいことを特徴とする請求項１に記載のイヤホン。
【請求項１１】
前記スピーカ本体部は、電磁型スピーカ装置であることを特徴とする請求項１に記載のイヤホン。
【請求項１２】
前記耳栓は、筒形状部の外端部の内径が、前記音響制御管の内径より大きい形状に形成されていることを特徴とする請求項１に記載のイヤホン。
【請求項１３】
前記音響制御管は、前記一端部に、他端部より大きな外径のフランジが形成され、
前記固定手段は、筒形状に形成され、且つ、
一方の開口端部が、前記音響制御管の前記他端部の外径より大きく、且つ前記フランジの外径より小さく形成された内径を備え、
他方の開口端部が、前記フランジの外径より大きな内径に形成されるとともに、前記スピーカ筐体部の端部に形成された被螺合部に螺合する螺合部を備えることを特徴とする請求項１に記載のイヤホン。
【請求項１４】
前記固定手段は、前記他方の開口端部の外径が、前記スピーカ筐体部の端部の外径より大きく形成され、
前記固定手段が前記スピーカ筐体部に固定された状態で、前記固定手段の端部に形成される段形状の被係止部に対して、前記耳介挿入体の開口端部に形成された内側に向って突出した形状の係止部が係止することを特徴とする請求項１３に記載のイヤホン。
【請求項１５】
前記音響制御管は、音響放射側の端部と、音響放射側とは逆側の端部との間に、前記音響放射側の端部より外径が小さい凹状の被係止部を備え、
前記耳栓は、前記筒形状部の装着側の端部に形成された、内側に向って突出した形状の係止部を備え、
前記音響制御管の被係止部に前記耳栓の係止部が係止していることを特徴とする請求項３に記載のイヤホン。
【請求項１６】
前記耳介挿入体の音響放射側の開口端部に形成された係止部が、前記音響制御管に形成された被係止部に係止していることを特徴とする請求項１５に記載のイヤホン。
【請求項１７】
前記音響制御管は、長手方向が前記スピーカ本体部の音響放射方向に対して規定角度に傾斜して形成されていることを特徴とする請求項１に記載のイヤホン。
【請求項１８】
左耳用イヤホンと右耳用イヤホンは、前記スピーカ本体部の音響放射方向に対する前記音響制御管の長手方向が、互いに略鏡面対称となるように規定角度に傾斜して形成され、
前記音響制御管と前記筐体部の連結構造が、前記左耳用イヤホンと前記右耳用イヤホンとで異なるように形成されていることを特徴とする請求項１に記載のイヤホン。
【請求項１９】
前記スピーカ筐体部は、側面部に平坦部が形成されていることを特徴とする請求項１に記載のイヤホン。
【請求項２０】
互いに形状が異なる前記耳栓、前記音響制御管及び前記耳介挿入体を複数備え、当該耳栓、前記音響制御管及び前記耳介挿入体は交換可能に形成されており、
前記音響制御管は互いに内径又は長さが異なる内部構造を有し、前記耳栓は互いに大きさが異なる形状を有し、前記耳介挿入体は当該耳介挿入体が有する耳介用突起部の長さが互いに異なる形状を有することを特徴とする請求項１記載のイヤホン。
【請求項２１】
前記音響制御管の一端部に配置されると共に、異なる音響特性の複数の前記音響制御用シートと、前記音響制御管と前記スピーカ筐体部との間に配置されると共に、異なる吸音特性を備える吸音部材とを備え、前記音響制御用シート及び前記吸音部材は交換可能に形成されていることを特徴とする請求項２０に記載のイヤホン。
【請求項２２】
前記耳栓は耳の外耳道に挿入されており、
前記耳栓から当該スピーカ筐体部に向かう方向において、前記スピーカ筐体部は、当該スピーカ筐体部の外周側面に形成される平坦部と、当該平坦部に連続して外側へ凸状に形成される外周縁とを備え、前記耳介挿入体が有する耳介用突起部及び前記スピーカ筐体部の外周縁とが耳甲介及び対珠の間に挟まれ、前記スピーカ筐体部の平坦部に前記対珠が当接して、当該耳介挿入体及び当該スピーカ筐体部とが耳に固定されることを特徴とする請求項１に記載のイヤホン。
【手続補正２】
【補正対象書類名】明細書
【補正対象項目名】０００２
【補正方法】変更
【補正の内容】
【０００２】
［０００６］
本発明は、このような問題に対処することを課題の一例とするものである。すなわち、簡単な構成で、再生音の音響特性を調整することができるイヤホンを提供すること、ユーザぞれぞれの外耳に密着し且つ音響特性を調整可能なイヤホンを提供すること、等が本発明の目的である。
課題を解決するための手段
［０００７］
このような目的を達成するために、本発明は、以下の独立請求項に係る構成を少なくとも具備する。
［０００８］
スピーカ本体部を内蔵するとともに、当該スピーカ本体部からの音波を放射する開口部が形成されたスピーカ筐体部と、前記スピーカ本体部から前記開口部を介して放射された音波に対して所定の音響特性に規定する内部構造を備える筒形状の音響制御管と、前記音響制御管に着脱可能に装着されるとともに当該音響制御管と連通する筒形状部を備え、外周部が弾性変形可能に形成された耳栓とを有し、前記音響制御管は、一端部に形成された連結部が、前記スピーカ筐体部の開口部に形成された被連結部に対して連結した状態で、固定手段により着脱可能に固定されることを特徴とするイヤホン。
図面の簡単な説明
［０００９］
［図１］本発明の一実施形態に係るイヤホンの断面図である。
［図２］図１に示したイヤホンの分解斜視図である。
［図３］図１に示したイヤホンの背面側（音響放射方向に対して反対側）からの斜視図である。
［図４］外耳に装着された状態のイヤホン１を説明するための図である。
［図５］図１に示したイヤホンの音響制御管を説明するための図である。詳細には、（Ａ）は音響制御管の斜視図であり、（Ｂ）は音響制御管の背面図であり、（Ｃ）は音響制御管の正面図であり、（Ｄ）は第１具体例に係る音響制御管の断面図であり、（Ｅ）は第２具体例に係る音響制御管の断面図であり、（Ｆ）は第３具体例に係る音響制御管の断面図である。
［図６］図１に示したイヤホンの音響制御管を詳細に説明するための図である。
［図７］本発明に係る音響制御管の音響特性を説明するための図である。詳細には（Ａ
【国際調査報告】
2009031238.tif 000012
2009031238.tif 000013
2009031238.tif 000014
2009031238.tif 000015